(57)【要約】【課題】灯体ごと照射したい方向に向けたり、光源部分も同時に動かしたりすることなく、配光の方向を容易に変化させることができる照明装置を提供することを目的とする。【解決手段】照明装置１００において、ＬＥＤ１０２は、筐体１０１の内部にて、筐体１０１の下面に配設されている。ＬＥＤ１０２は、照明装置１００の光源であり、開口部１１１へ向けて光を放射する。フレネルレンズ１０３は、開口部１１１を閉塞する位置に変位自在に設置されている。フレネルレンズ１０３は、ＬＥＤ１０２から放射された光を透過させるが、その際に光を屈折させ、屈折した光を筐体１０１の外側に照射する。この光の屈折方向は、フレネルレンズ１０３を前後左右に変位させることで調節することができる。【選択図】図１
2010192205.tif 000002
【特許請求の範囲】
【請求項１】
１つの面に開口部を有する筐体と、
前記開口部を有する面と対向する前記筐体内部の面に配設され、前記開口部へ向けて光を放射するＬＥＤと、
前記開口部の少なくとも一部を閉塞する位置に変位自在に設置され、前記ＬＥＤから放射された光を屈折させるレンズであって、変位することで当該屈折方向を調節可能なレンズとを備えることを特徴とする照明装置。
【請求項２】
前記レンズは、矩形状のリニアフレネルレンズであり、
前記ＬＥＤは、前記リニアフレネルレンズの長手方向と略平行な線状に配設された複数のＬＥＤであり、
前記リニアフレネルレンズは、短手方向に変位することで前記複数のＬＥＤから放射された光の屈折方向を一括して調節可能であることを特徴とする請求項１に記載の照明装置。
【請求項３】
前記レンズは、フレネルレンズと凸レンズとのいずれかであることを特徴とする請求項１に記載の照明装置。
【請求項４】
前記筐体は、前記開口部を有する面と隣り合う面の互いに対向する位置に溝を有し、
前記レンズは、前記溝に係合して支持されるとともに、前記溝内をスライドして変位することを特徴とする請求項１から３までのいずれかに記載の照明装置。
【発明の詳細な説明】
【技術分野】
【０００１】
本発明は、照明装置に関するものである。
【背景技術】
【０００２】
従来、照明装置自体の向きを変えることなく、ＬＥＤが発する光の照射方向を変える技術があった（例えば、特許文献１参照）。
【先行技術文献】
【特許文献】
【０００３】
【特許文献１】特開２００７−３５３８１号公報
【発明の概要】
【発明が解決しようとする課題】
【０００４】
従来の照明装置において配光の方向を変化させるには、灯体ごと照射したい方向に向ける必要があった。そのため、照明装置が大型化したり、照明装置の厚みが増したりするという課題があった。また、灯体を動かす際に光源部分も同時に動かさなければならないため、照明装置から光源が分離することとなり、照明装置全体での放熱構造が取れなくなってしまうという課題があった。
【０００５】
本発明は、例えば、灯体ごと照射したい方向に向けたり、光源部分も同時に動かしたりすることなく、配光の方向を容易に変化させることができる照明装置を提供することを目的とする。
【課題を解決するための手段】
【０００６】
本発明の一の態様に係る照明装置は、１つの面に開口部を有する筐体と、前記開口部を有する面と対向する前記筐体内部の面に配設され、前記開口部へ向けて光を放射するＬＥＤと、前記開口部の少なくとも一部を閉塞する位置に変位自在に設置され、前記ＬＥＤから放射された光を屈折させるレンズであって、変位することで当該屈折方向を調節可能なレンズとを備えることを特徴とする。
【発明の効果】
【０００７】
本発明の一の態様によれば、照明装置において、筐体が有する開口部の少なくとも一部を閉塞する位置に変位自在に設置されたレンズが、筐体内部の、開口部を有する面と対向する面に配設されたＬＥＤから放射された光を屈折させる構成を採用し、レンズが変位することで当該屈折方向を調節できるようにしているため、灯体ごと照射したい方向に向けたり、光源部分も同時に動かしたりすることなく、配光の方向を容易に変化させることが可能となる。
【図面の簡単な説明】
【０００８】
【図１】実施の形態１に係る照明装置の斜視図、上面図、断面図、部分断面図である。
【図２】実施の形態１の変形例に係る照明装置の部分斜視図である。
【図３】実施の形態１〜４に係る照明装置の断面図である。
【図４】実施の形態４に係る照明装置の上面図、断面図である。
【図５】実施の形態５に係る照明装置の部分斜視図である。
【発明を実施するための形態】
【０００９】
以下、本発明の実施の形態について、図を用いて説明する。
【００１０】
実施の形態１．
図１（ａ）は本実施の形態に係る照明装置１００の斜視図、図１（ｂ）は照明装置１００の上面図、図１（ｃ）は照明装置１００の断面図、図１（ｄ）は照明装置１００の部分断面図である。
【００１１】
図１（ａ）〜（ｄ）において、照明装置１００は、円筒状の筐体１０１、ＬＥＤ１０２、円形状のフレネルレンズ１０３を備える。
【００１２】
筐体１０１は、その上面に開口部１１１を有する。また、筐体１０１は、その内部にて、開口部１１１を有する面（ここでは上面）と隣り合う面（即ち内周面）の互いに対向する位置に２つの溝１１２ａ，ｂを有する。
【００１３】
ＬＥＤ１０２は、筐体１０１の内部にて、筐体１０１の下面に配設されている。ＬＥＤ１０２は、照明装置１００の光源であり、開口部１１１へ向けて光を放射する。
【００１４】
フレネルレンズ１０３は、開口部１１１を閉塞する位置に変位自在に設置されている。具体的には、フレネルレンズ１０３は、溝１１２ａ，ｂに係合して支持されており、溝１１２ａ，ｂ内をスライドして前後（矢印１３１ａの方向）及び左右（矢印１３１ｂの方向）に変位することができる。フレネルレンズ１０３は、ＬＥＤ１０２から放射された光を透過させるが、その際に光を屈折させ、屈折した光を筐体１０１の外側に照射する。この光の屈折方向は、フレネルレンズ１０３を前後左右に変位させることで調節することができる。これにより、本実施の形態では、照明装置１００において、灯体ごと照射したい方向に向けたり、光源部分も同時に動かしたりすることなく、配光の方向を容易に変化させることが可能となる。
【００１５】
なお、筐体１０１としては、様々な形状のものを用いることができる。例えば、筐体１０１は、円筒状ではなく、箱状であってもよい。この場合、筐体１０１は、その内部にて、開口部１１１を有する面（ここでは上面）と隣り合う面（例えば内側の左右両面）の互いに対向する位置に２つの溝１１２ａ，ｂを有することになる。
【００１６】
また、筐体１０１は、少なくとも１つの面に開口部１１１を有していればよい。例えば、開口部１１１は、筐体１０１の上面ではなく、下面に設けられていてもよい。
【００１７】
また、筐体１０１は、２つ以上の溝を有していてもよい。例えば、筐体１０１は、その内周面の互いに対向する位置であって、２つの溝１１２ａ，ｂがある位置とは別の位置に、さらに２つの溝を有していてもよい。このとき、これらの溝を、２つの溝１１２ａ，ｂを結んだ線と直角に交差する線上に位置するように設けることで（このとき、溝１１２ａが筐体１０１の内周の０度に位置していると考えると、溝１１２ｂは略１８０度に位置し、他の２つの溝は略９０度及び略２７０度に位置することになる）、フレネルレンズ１０３をバランスよく溝に係合して支持することができる。
【００１８】
また、筐体１０１は、溝１１２ａ，ｂに代えて、フレネルレンズ１０３を変位自在に設置するための可動機構を有していてもよい。
【００１９】
ＬＥＤ１０２は、筐体１０１の内部にて、筐体１０１の開口部１１１を有する面と対向する面に配設されていればよい。例えば、開口部１１１が筐体１０１の下面に設けられているのであれば、ＬＥＤ１０２は、筐体１０１の内部にて、筐体１０１の下面ではなく、上面に配設されることになる。
【００２０】
また、ＬＥＤ１０２は、筐体１０１の内部にて、複数配設されていてもよい。
【００２１】
フレネルレンズ１０３としては、様々な形状のものを用いることができる。例えば、図２に示すようにフレネルレンズ１０３は、円形状ではなく、矩形状であってもよい。図２では一部を省略しているが、この場合、フレネルレンズ１０３が溝１１２ａ，ｂ内をスライドしてフレネルレンズ１０３の短手方向（矢印１３１ａの方向、即ち前後方向）に変位するといった形態が可能である。なお、フレネルレンズ１０３の形状は、開口部１１１の形状に合わせるのが望ましい。筐体１０１が円筒状で開口部１１１が円形状であれば、フレネルレンズ１０３も円形状であることが望ましい。一方、筐体１０１が箱状で開口部１１１が矩形状であれば、フレネルレンズ１０３も矩形状であることが望ましい。
【００２２】
また、フレネルレンズ１０３は、開口部１１１の少なくとも一部を閉塞する位置に変位自在に設置されていればよい。例えば、フレネルレンズ１０３が開口部１１１の半分を閉塞する程度の大きさをもつものであっても、上記のように変位自在に設置されていれば、配光の方向を容易に変化させることができるという一定の効果が期待できる。
【００２３】
また、フレネルレンズ１０３は、他のレンズであってもよい。例えば、フレネルレンズ１０３の代わりに、凸レンズを用いることができる。
【００２４】
以上説明したように、本実施の形態では、照明装置１００において、使用目的により、配光の向きを任意の方向に変えることが容易にできる。本実施の形態によれば、灯体を照射方向に向けなくてすむため、照明装置１００の厚みを抑え、照明装置１００の薄型化が可能となる。また、光源の向きを移動させる必要がないため、照明装置１００から光源を分離する必要がなく、照明装置１００全体で放熱させる構造を採用することが可能となる。
【００２５】
実施の形態２．
本実施の形態について、主に実施の形態１との差異を説明する。
【００２６】
図３（ａ）は実施の形態１に係る照明装置１００の断面図（一部省略）である。そして、図３（ｂ）は本実施の形態に係る照明装置１００の断面図（一部省略）である。
【００２７】
図３（ｂ）において、照明装置１００は、図３（ａ）に示した実施の形態１の照明装置１００と同様にＬＥＤ１０２、フレネルレンズ１０３を備えるほか、反射板１０４、レンズ１０５を備えている。
【００２８】
反射板１０４は、ＬＥＤ１０２から放射された光の方向を一定の方向に調整する。レンズ１０５は、反射板１０４で方向が調整された光を透過させ、開口部１１１へ向けて放射する。
【００２９】
以上説明したように、本実施の形態では、照明装置１００において、ＬＥＤ１０２を光源としてレンズ１０５を通して配光を制御しているが、そのレンズ１０５の前面（即ち上方）にフレネルレンズ１０３を配置し、フレネルレンズ１０３を前後左右に移動させることにより、配光の向きを変えることができる。
【００３０】
実施の形態３．
本実施の形態について、主に実施の形態１との差異を説明する。
【００３１】
図３（ｃ）は本実施の形態に係る照明装置１００の断面図（一部省略）である。
【００３２】
図３（ｃ）において、照明装置１００は、図３（ａ）に示した実施の形態１の照明装置１００と同様にＬＥＤ１０２、フレネルレンズ１０３を備えるほか、反射板１０４を備えている。
【００３３】
反射板１０４は、ＬＥＤ１０２から放射された光の方向を一定の方向に調整する。
【００３４】
以上説明したように、本実施の形態では、照明装置１００において、配光を制御している反射板１０４の前面（即ち上方）にフレネルレンズ１０３を配置し、フレネルレンズ１０３を前後左右に移動させることにより、配光の向きを変えることができる。
【００３５】
実施の形態４．
本実施の形態について、主に実施の形態１との差異を説明する。
【００３６】
図３（ｄ）は本実施の形態に係る照明装置１００の断面図（一部省略）である。
【００３７】
図３（ｄ）において、照明装置１００は、図３（ａ）に示した実施の形態１の照明装置１００と同様にＬＥＤ１０２を備えるが、フレネルレンズ１０３の代わりに、凸レンズ１０６を備えている。
【００３８】
凸レンズ１０６は、実施の形態１のフレネルレンズ１０３と同様に、開口部１１１を閉塞する位置に変位自在に設置されている。凸レンズ１０６は、ＬＥＤ１０２から放射された光を透過させる際に光を屈折させ、屈折した光を筐体１０１の外側に照射する。
【００３９】
図４（ａ）は照明装置１００の上面図（凸レンズ１０６以外は省略）、図４（ｂ）は照明装置１００の断面図である。なお、図４（ｂ）は図３（ｄ）と同じものである。
【００４０】
図４（ａ）に示すように、凸レンズ１０６は、実施の形態１のフレネルレンズ１０３と同様に、前後（矢印１６１ａの方向）及び左右（矢印１６１ｂの方向）に変位することができる。凸レンズ１０６がＬＥＤ１０２から放射された光を屈折させる方向は、凸レンズ１０６を前後左右に変位させることで調節することができる。これにより、本実施の形態でも、照明装置１００において、灯体ごと照射したい方向に向けたり、光源部分も同時に動かしたりすることなく、配光の方向を容易に変化させることが可能となる。
【００４１】
実施の形態５．
本実施の形態について、主に実施の形態１との差異を説明する。
【００４２】
図５は本実施の形態に係る照明装置１００の筐体１０１内部の部分斜視図である。
【００４３】
図５において、照明装置１００は、ＬＥＤ１０２を複数備えている。また、照明装置１００は、円形状のフレネルレンズ１０３の代わりに、矩形状のリニアフレネルレンズ１０７を備えている。
【００４４】
複数のＬＥＤ１０２は、リニアフレネルレンズ１０７の長手方向と略平行な線状に配設されている。
【００４５】
リニアフレネルレンズ１０７は、短手方向（矢印１７１ａの方向、即ち前後方向）に変位することで複数のＬＥＤ１０２から放射された光の屈折方向を一括して調節することができる。
【００４６】
以上説明したように、本実施の形態では、ライン状に配置された複数個の光源からの配光の方向を、まとめて１枚のリニアフレネルレンズ１０７で変化させることが可能である。
【００４７】
以上、本発明の実施の形態について説明したが、これらのうち、２つ以上の実施の形態を組み合わせて実施しても構わない。あるいは、これらのうち、１つの実施の形態を部分的に実施しても構わない。あるいは、これらのうち、２つ以上の実施の形態を部分的に組み合わせて実施しても構わない。
【符号の説明】
【００４８】
１００  照明装置、１０１  筐体、１０２  ＬＥＤ、１０３  フレネルレンズ、１０４  反射板、１０５  レンズ、１０６  凸レンズ、１０７  リニアフレネルレンズ、１１１  開口部、１１２ａ，ｂ  溝。
【図１】
2010192205.tif 000003
【図２】
2010192205.tif 000004
【図３】
2010192205.tif 000005
【図４】
2010192205.tif 000006
【図５】
2010192205.tif 000007